(57)【要約】【課題】釣場における状況対応力を維持しながら携帯するリール数を減らすことができ、低コストかつ軽量であり、汎用性が高く、スペーサーの着脱作業を容易に行うことができる、実用性の高い魚釣用両軸受型リール用スペーサーを提供する。【解決手段】リール本体２（スプール軸８）によりスプール３を回転自在に支持した魚釣用両軸受型リール１において、スプール３の軸方向前後端のフランジ５，５の外周面５Ａ，５Ａに対向するフレーム７，７の内周面７Ａ，７Ａに沿って嵌着された状態で使用される円環状の着脱可能なスペーサー１１，１１であって、フレーム７，７に嵌着された状態で、フランジ外径の小さいスプール３のフランジ外周面５Ａ，５Ａに対向して微小間隙Ｇ，Ｇを形成する。【選択図】図１
0003159883.tif 000002
【実用新案登録請求の範囲】
【請求項１】
リール本体によりスプールを回転自在に支持した魚釣用両軸受型リールにおいて、前記スプール両端部のフランジ外周面に対向するフレームの内周面に沿って嵌着された状態で使用される着脱可能なスペーサーであって、前記フレームに嵌着された状態で、フランジ外径の小さいスプールのフランジ外周面に対向して微小間隙を形成する内周面が形成された円環状の魚釣用両軸受型リール用スペーサー。
【請求項２】
外周面の軸方向内側部分に径方向外側に突出して前記フレームの軸方向内面に当止される当止部を設けてなる請求項１記載の魚釣用両軸受型リール用スペーサー。
【請求項３】
軸方向外面に径方向に延びる複数のスリットを形成してなる請求項１記載の魚釣用両軸受型リール用スペーサー。
【請求項４】
外周面の軸方向中間部分に周溝を形成して該周溝にＯリングを装着してなる請求項１記載の魚釣用両軸受型リール用スペーサー。
【請求項５】
請求項１〜４の何れか１項に記載の魚釣用両軸受型リール用スペーサーを備えた魚釣用両軸受型リール。
【考案の詳細な説明】
【技術分野】
【０００１】
本考案は、魚釣用両軸受型リールに用いられる、一つのリール本体に大きさの異なるスプールを装着可能とする着脱可能なスペーサー及びこのスペーサーを備えた魚釣用両軸受型リールに関するものである。
【背景技術】
【０００２】
リール本体によりスプールを回転自在に支持した魚釣用両軸受型リール（ベイトキャスティングリール）において、釣場における状況対応力を維持しながら携帯するリール数を減らすために、大きさ（フランジ外径）の異なるスプールを一つのリール本体に装着可能にしたものがある（例えば、特許文献１参照。）。
特許文献１の魚釣用両軸受型リールは、大小のスプールのフランジ外径の差に対応した間隙を埋めるように、小さいスプールのフランジ外周面に対向する面が形成され、小さいスプールのフランジ外周面との間に微小間隙を形成するスペーサーを備えており、小さいスプールを使用する際には前記スペーサーを側板にビス止め又は側板に固定されたカバーに螺合させて取り付けてからスプールを装着し、大きいスプールを使用する際には前記スペーサーを取り外した状態でスプールを装着する。
【先行技術文献】
【特許文献】
【０００３】
【特許文献１】実開平７−１７６３号公報
【考案の概要】
【考案が解決しようとする課題】
【０００４】
特許文献１の魚釣用両軸受型リールに用いられるスペーサーは、一つのリール本体に対して大きさの異なるスプールを装着してスプ−ル容量を変えることができるため、釣場における状況対応力を維持しながら携帯するリール数を減らすことについての一定の効果を有するものである。
しかしながら、スペーサーが側板にビス止めすること又は側板に固定されたカバーに螺合することによりリール本体側に取り付けられる金属製の特殊形状の部品であるため、製造コストが嵩むとともに重量が増大すること、スペーサーを取り付けるリール本体側もスペーサーを取り付け可能にするために特殊な形状とする必要があるため汎用性に乏しいこと、並びに、着脱作業の際に工具が必要となること及び手間が掛かること等の問題があるため、特に実用面から改良の余地がある。
【０００５】
そこで本考案が前述の状況に鑑み、解決しようとするところは、釣場における状況対応力を維持しながら携帯するリール数を減らすことができ、低コストかつ軽量であり、汎用性が高く、スペーサーの着脱作業を容易に行うことができる、実用性の高い魚釣用両軸受型リール用スペーサー及びこのスペーサーを備えた魚釣用両軸受型リールを提供する点にある。
【課題を解決するための手段】
【０００６】
本考案に係る魚釣用両軸受型リール用スペーサーは、リール本体によりスプールを回転自在に支持した魚釣用両軸受型リールにおいて、前記スプール両端部のフランジ外周面に対向するフレームの内周面に沿って嵌着された状態で使用される着脱可能なスペーサーであって、前記フレームに嵌着された状態で、フランジ外径の小さいスプールのフランジ外周面に対向して微小間隙を形成する内周面が形成された円環状のものである。
【０００７】
このような構成によれば、フランジ外径の小さいスプールを使用する際に、該スプールのフランジ外周面にスペーサーの内周面が対向して微小間隙を形成することから、この間隙に釣り糸が入り込むことがないため、釣り糸の巻き取りや放出の際に不具合が生じることがない。
よって、一つのリール本体に対して大きさの異なるスプールを装着して使用することができ、例えばフランジ外径の小さいスプールを装着した場合には、スプールの慣性モーメントが小さいため、小さくて軽い仕掛けや疑似餌を軽い力で送り出すことが可能になる等、釣場における状況対応力を維持しながら携帯するリール数を減らすことができる。
その上、スペーサーが円環状のものであるため、特に合成樹脂製にすると低コストかつ軽量であるとともに、工具を使用せずにフレームに嵌着して容易に使用することができる。
その上さらに、スプール両端部のフランジ外周面に対向するフレームの内周面に沿ってスペーサーを嵌着する構成であることから、スペーサーを取り付けるリール本体側を特殊な形状にする必要がないため、汎用性を高めることができる。
【０００８】
ここで、外周面の軸方向内側部分に径方向外側に突出して前記フレームの軸方向内面に当止される当止部を設けてなると好ましい。
このような構成によれば、スペーサーを軸方向内側からフレームに嵌着する際に当止部がフレームの軸方向内面に当止されて軸方向の位置決めがされるとともに、フランジ状に径方向外側へ突出する当止部を操作してスペーサーの取り外しを容易に行うことができる。
【０００９】
また、軸方向外面に径方向に延びる複数のスリットを形成してなると好ましい。
このような構成によれば、径方向に延びる複数のスリットが形成されたスペーサーの軸方向外側部分が径方向に変形しやすいため、フレームの内周面に沿って嵌着する作業がさらに容易になる。
【００１０】
さらに、外周面の軸方向中間部分に周溝を形成して該周溝にＯリングを装着してなると好ましい。
このような構成によれば、スペーサーの外径を小さめにしても粘弾性体であるＯリングとフレームの内周面との摩擦によってフレームによりスペーサーを安定して保持することができるため、スペーサーの着脱作業をさらに容易に行うことができる。
【００１１】
本考案に係る魚釣用両軸受型リールは、前記魚釣用両軸受型リール用スペーサーを備えたものである。
【考案の効果】
【００１２】
以上のように、本考案に係る魚釣用両軸受型リール用スペーサー及びこのスペーサーを備えた魚釣用両軸受型リールによれば、釣場における状況対応力を維持しながら携帯するリール数を減らすことができ、フレームに対して円環状のスペーサーを着脱する簡素な構成により、低コストかつ軽量であり、汎用性が高く、スペーサーの着脱作業を容易に行うことができ、これらの結果として実用性を大幅に向上することができるという顕著な効果を奏する。
【図面の簡単な説明】
【００１３】
【図１】本考案の実施の形態１に係る魚釣用両軸受型リール用スペーサーを魚釣用両軸受型リールに取り付けてフランジ外径の小さいスプールを装着した状態を示す概略図であり、（ａ）は魚釣用両軸受型リールの全体を示す縦断面図、（ｂ）は要部を拡大して示す縦断面図である。
【図２】スペーサー及びフレームのスペーサー取付部分並びにスプールを示す分解斜視図である。
【図３】スペーサーを取り外してフランジ外径の大きいスプールを装着した魚釣用両軸受型リールを示す縦断面図である。
【図４】本考案の実施の形態２に係る魚釣用両軸受型リール用スペーサーを魚釣用両軸受型リールに取り付けてフランジ外径の小さいスプールを装着した状態を示す概略図であり、（ａ）は要部を拡大して示す縦断面図、（ｂ）はスペーサー及びフレームのスペーサー取付部分を示す分解斜視図である。
【図５】本考案の実施の形態３に係る魚釣用両軸受型リール用スペーサーを魚釣用両軸受型リールに取り付けてフランジ外径の小さいスプールを装着した状態を示す概略図であり、（ａ）は要部を拡大して示す縦断面図、（ｂ）はスペーサー及びフレームのスペーサー取付部分を示す分解斜視図である。
【図６】本考案の実施の形態４に係る魚釣用両軸受型リール用スペーサーを魚釣用両軸受型リールに取り付けてフランジ外径の小さいスプールを装着した状態を示す概略図であり、（ａ）は要部を拡大して示す縦断面図、（ｂ）はスペーサー及びフレームのスペーサー取付部分を示す分解斜視図である。
【考案を実施するための形態】
【００１４】
次に本考案の実施の形態を添付図面に基づき詳細に説明するが、本考案は、添付図面に示された形態に限定されず実用新案登録請求の範囲に記載の要件を満たす実施形態の全てを含むものである。
また、本明細書において、スプールの回転軸芯（図中矢印Ａ参照。）方向（スプール軸の軸方向）を軸方向という。
【００１５】
実施の形態１．
図１に示すように、魚釣用両軸受型リール（ベイトキャスティングリール）１は、リール本体２（スプール軸８）により釣り糸が巻回されるスプール３を回転軸芯Ａまわりに回転自在に支持しており、ハンドル９を回すことによりスプール３は釣り糸巻き取り方向に回転する。
【００１６】
ここで、リール本体２に装着されたスプール３は、その軸方向前後端のフランジ５，５の外径が小さいものであり、フランジ５，５の外周面５Ａ，５Ａとフレーム７，７の内周面７Ａ，７Ａとの間隙が大きいため、この間隙を埋めるべく、スプール３両端部のフランジ５，５の外周面５Ａ，５Ａに対向するフレーム７，７の内周面７Ａ，７Ａに沿って、本考案の実施の形態１に係る円環状のスペーサー１１，１１を嵌着している。
これらのスペーサー１１，１１によってスペーサー１１，１１の内周面１１Ａ，１１Ａとスプール３の軸方向前後端のフランジ５，５の外周面５Ａ，５Ａとの間隙が微小間隙Ｇ，Ｇになることにより、これらの微小間隙Ｇ，Ｇには釣り糸が入り込むことがないため、釣り糸の巻き取りや放出の際に不具合が生じることがない。
【００１７】
ここで、円環状のスペーサー１１は、例えばポリアセタール、ポリプロピレン又はＡＢＳ等の合成樹脂により形成され、図１（ｂ）及び図２に示すように、その外周面１１Ｂの軸方向内側部分に径方向外側に突出してフレーム７の軸方向内面７Ｂに当止される当止部１２を設けている。
したがって、スペーサー１１を図２のようにフレーム７に軸方向内側から嵌着する際に当止部１２がフレーム７の軸方向内面７Ｂに当止されて軸方向の位置決めがされるとともに、フランジ状に径方向外側へ突出する当止部１２を操作してスペーサー１１の取り外しを容易に行うことができる。
【００１８】
そして、スペーサー１１を取り外した状態では、図３に示すように、フランジ外径の大きいスプール４を装着することができ、このスプール４を装着した状態では、スプール４の軸方向前後端のフランジ６，６の外周面６Ａ，６Ａにフレーム７，７の内周面７Ａ，７Ａが対向して微小間隙が形成されることから、この間隙に釣り糸が入り込むことがないため、釣り糸の巻き取りや放出の際に不具合が生じることがない。
【００１９】
以上のような構成によれば、一つのリール本体２に対して大きさの異なるスプール３，４を装着して使用することができ、例えばフランジ外径の小さいスプール３を装着した場合には、スプール３の慣性モーメントが小さいため、小さくて軽い仕掛けや疑似餌を軽い力で送り出すことが可能になる等、釣場における状況対応力を維持しながら携帯するリール数を減らすことができる。
また、スペーサー１１が合成樹脂製の円環状のものであるため、特に低コストかつ軽量であるとともに、工具を使用せずにフレーム７に嵌着して容易に使用することができる。
さらに、スプール３両端部のフランジ外周面５Ａ，５Ａに対向するフレーム７，７の内周面７Ａ，７Ａに沿ってスペーサー１１，１１を嵌着する構成であることから、スペーサー１１，１１を取り付けるリール本体２側を特殊な形状にする必要がないため、汎用性を高めることができる。
【００２０】
実施の形態２．
図４に示す本考案の実施の形態２に係る円環状のスペーサー１１には、その軸方向外面１１Ｃに径方向に延びる複数のスリット１３，１３，…が形成されている。
したがって、スペーサー１１の軸方向外側部分が径方向に変形しやすいため、フレーム７の内周面７Ａに沿って嵌着する作業がさらに容易になる。
また、上述のとおり径方向に変形しやすい構造であることから、フレーム７の内周面７Ａの内径よりも外径が大きい凸条１４を形成してフレーム７に強固に嵌着することができるため、より嵌め込みがしやすく抜けにくい構造にすることができる。
【００２１】
実施の形態３．
図５に示す本考案の実施の形態３に係る円環状のスペーサー１１には、その外周面１１Ｂの軸方向中間部分に周溝１５を形成しており、この周溝１５にニトリルゴム（ＮＢＲ）、フッ素ゴム（ＦＰＭ）又はシリコーンゴム（ＭＶＱ）等からなるＯリング１６を装着している。
しがたって、スペーサー１１の外径を小さめにしても、粘弾性体であるＯリングが変形した状態で該Ｏリング１６とフレーム７の内周面７Ａとの摩擦によってフレーム７によりスペーサー１１を安定して保持することができるため、スペーサー１１の着脱作業をさらに容易に行うことができる。
【００２２】
実施の形態４．
図６に示す本考案の実施の形態４に係る円環状のスペーサー１１には、実施の形態１〜３である図１、図２、図４及び図５のようなフランジ状に径方向外側へ突出する当止部１２がなく、ブレーキハウジング１０を外した状態で、図６（ｂ）に示すように軸方向外側からフレーム７の内周面７Ａに沿って嵌着するものであり、スペーサー１１の軸方向内面１１Ｄの外径部分の角部を面取りしたテーパー面として装着しやすい形状としている。なお、このようなテーパー面を形成せずに、スペーサー１１を矩形断面としてもよい。
【００２３】
以上のような本考案の実施の形態１〜４に係る魚釣用両軸受型リール用スペーサー１１によれば、例えば魚釣用両軸受型リールの複数の使用機種及び複数の使用スプールに合った形状の円環状の軽量かつ簡素なスペーサーを備えておけばよいため、現場のニーズに適合した非常に汎用的かつ実用的な魚釣用両軸受型リールを提供することができる。
また、本考案のような円環状のスペーサー１１を用いてスプールの小径化、軽量化及び浅溝化を行うことにより、大幅な軽量化及び性能の向上を図ることができる。
例えば、３５ｍｍ径のスプールを３２ｍｍ径のスプールと本考案の円環状スペーサーに交換して実験した結果、３５ｍｍ径のスプールに比べて細い釣り糸を使用することが可能になり、軽くて小さな仕掛け又は疑似餌を簡単にしかも遠くまで投げる事が可能になった。その上、小さくて軽い重量となったスプールは釣り糸の放出中の慣性モーメントが小さくなるため、過回転によるバックラッシュ（釣り糸のからみトラブル）が発生しにくくなった。
【００２４】
以上の説明においては、円環状のスペーサー１１が合成樹脂製である場合を示したが、本考案はこのような場合に限定されるものではなく、円環状のスペーサー１１を、アルミニウム合金若しくはマグネシウム合金等の軽合金又はその他の金属製としてもよい。
【符号の説明】
【００２５】
Ａ  回転軸芯
Ｇ  微小間隙
１  魚釣用両軸受型リール
２  リール本体
３  フランジ外径の小さいスプール
４  フランジ外径の大きいスプール
５，６  フランジ
５Ａ，６Ａ  外周面
７  フレーム
７Ａ  内周面
７Ｂ  軸方向内面
８  スプール軸
９  ハンドル
１０  ブレーキハウジング
１１  スペーサー
１１Ａ  内周面
１１Ｂ  外周面
１１Ｃ  軸方向外面
１１Ｄ  軸方向内面
１２  当止部
１３  スリット
１４  凸条
１５  周溝
１６  Ｏリング
【図１】
0003159883.tif 000003
【図２】
0003159883.tif 000004
【図３】
0003159883.tif 000005
【図４】
0003159883.tif 000006
【図５】
0003159883.tif 000007
【図６】
0003159883.tif 000008